(57)【要約】  透明部の旋光性のばらつきによらず、透明部を検知することができる。  透明部を有する対象物へ可視光を照射する第１発光素子の中心と、第１発光素子が発光した光を受光する第１受光素子の中心とを結ぶ線は、第１発光素子の中心を通り、第１発光素子及び第１受光素子との間に設けられた第１発光側偏光板及び第１受光側偏光板の延設方向と略直交する線に対して傾いている。
2018051701.tif 000002
【特許請求の範囲】
【請求項１】
透明部を有する対象物へ可視光を照射する第１発光素子と、
前記第１発光素子が発光した光を受光する第１受光素子と、
前記第１発光素子と前記第１受光素子との間に設けられた第１発光側偏光板と、
前記第１発光側偏光板と前記第１受光素子との間に設けられ、偏光方向が前記第１発光側偏光板の偏光方向と略９０度異なる第１受光側偏光板であって、前記第１発光側偏光板との間に前記対象物が通過可能な隙間を形成するように設けられた第１受光側偏光板と、
を備え、
前記第１発光素子の中心と前記第１受光素子の中心とを結ぶ第１線は、前記第１発光素子の中心を通り、前記第１発光側偏光板と前記第１受光側偏光板の延設方向と略直交する第２線に対して傾いている
ことを特徴とする検知装置。
【請求項２】
請求項１に記載の検知装置であって、
前記対象物へ可視光を照射する第２発光素子と、
前記第２発光素子が発光した光を受光する第２受光素子と、
前記第２発光素子と前記第２受光素子との間に設けられた第２発光側偏光板と、
前記第２発光側偏光板と前記第２受光素子との間に設けられ、偏光方向が前記第２発光側偏光板の偏光方向と略９０度異なる第２受光側偏光板であって、前記第２発光側偏光板との間に前記対象物が通過可能な隙間を形成するように設けられた第２受光側偏光板と、
を備え、
前記第２発光素子の中心と前記第２受光素子の中心とを結ぶ第３線は、前記第２発光素子の中心を通り、前記第２発光側偏光板と前記第２受光側偏光板の延設方向と略直交する第４線に対して傾いており、
前記第１発光側偏光板と前記第２発光側偏光板とは、偏光方向が異なる
ことを特徴とする検知装置。
【請求項３】
請求項２に記載の検知装置であって、
前記第１受光素子及び前記第２受光素子の近傍に設けられた遮光部材を備え、
前記遮光部材には、前記第１線が貫通する第１スリットが前記第１受光素子の近傍に形成され、前記第３線が貫通する第２スリットが前記第２受光素子の近傍に形成され、
前記第２発光素子の中心と前記第１受光素子の中心とを結ぶ第５線と、前記第１発光素子の中心と前記第２受光素子の中心とを結ぶ第６線とは、前記遮光部材と交差する
ことを特徴とする検知装置。
【請求項４】
請求項２に記載の検知装置であって、
前記第１発光素子及び前記第２発光素子の近傍に設けられた第２遮光部材を備え、
前記第２遮光部材には、前記第１線が貫通する第３スリットが前記第１発光素子の近傍に形成され、前記第３線が貫通する第４スリットが前記第２発光素子の近傍に形成され、
前記第２線と、前記第４線と、前記第２発光素子の中心と前記第１受光素子の中心とを結ぶ第５線と、前記第１発光素子の中心と前記第２受光素子の中心とを結ぶ第６線とは、前記第２遮光部材と交差する
ことを特徴とする検知装置。
【請求項５】
請求項１に記載の検知装置であって、
前記第１発光素子の近傍に設けられ、前記第１発光素子から出射した光を集光して前記対象物に照射させる第１発光側レンズと、
前記第１受光素子の近傍に設けられ、前記透明部を通過した光を集光して前記第１受光素子へ導く第１受光側レンズと、
を備えたことを特徴とする検知装置。
【請求項６】
請求項２に記載の検知装置であって、
前記第１発光素子の近傍に設けられ、前記第１発光素子から出射した光を集光して前記対象物に照射させる第１発光側レンズと、
前記第２発光素子の近傍に設けられ、前記第２発光素子から出射した光を集光して前記対象物に照射させる第２発光側レンズと、
を備えたことを特徴とする検知装置。
【請求項７】
請求項６に記載の検知装置であって、
前記第１受光素子の近傍に設けられ、前記透明部を通過した光を集光して前記第１受光素子へ導く第１受光側レンズと、
前記第２受光素子の近傍に設けられ、前記透明部を通過した光を集光して前記第２受光素子へ導く第２受光側レンズと、
を備えたことを特徴とする検知装置。
【請求項８】
請求項１に記載の検知装置であって、
前記第１線は、前記第２線に対して略５〜略５０度の傾きを有する
ことを特徴とする検知装置。
【請求項９】
請求項２に記載の検知装置であって、
前記第１線は、前記第２線に対して略５〜略５０度の傾きを有し、
前記第３線は、前記第４線に対して略５〜略５０度の傾きを有する
ことを特徴とする検知装置。
【請求項１０】
請求項２に記載の検知装置であって、
前記第１発光側偏光板と前記第２発光側偏光板とは、偏光方向が略４５度異なる
ことを特徴とする検知装置。
【請求項１１】
請求項１から１０のいずれか一項に記載の検知装置であって、
前記対象物へ赤外光を照射する赤外光発光素子と、
前記赤外光発光素子が発光した光を受光する赤外光受光素子と、
を備え、
前記赤外光発光素子と前記赤外光受光素子との間には、前記対象物が通過可能な隙間が形成される
ことを特徴とする検知装置。
【請求項１２】
請求項８に記載の検知装置であって、
前記第１発光素子が発光した光を受光する第３受光素子を備え、
前記第１発光側偏光板及び前記第１受光側偏光板は、前記第１発光素子と前記第３受光素子との間に設けられ、
前記第１発光素子の中心と前記第３受光素子の中心とを結ぶ線は、前記第２線に対して略５〜略５０度の傾きを有する
ことを特徴とする検知装置。
【請求項１３】
請求項９に記載の検知装置であって、
前記第１発光素子が発光した光を受光する第３受光素子と、
前記第２発光素子が発光した光を受光する第４受光素子と、を備え、
前記第１発光側偏光板及び前記第１受光側偏光板は、前記第１発光素子と前記第３受光素子との間に設けられ、
前記第２発光側偏光板及び前記第２受光側偏光板は、前記第２発光素子と前記第４受光素子との間に設けられ、
前記第１発光素子の中心と前記第３受光素子の中心とを結ぶ線は、前記第２線に対して略５〜略５０度の傾きを有し、
前記第２発光素子の中心と前記第４受光素子の中心とを結ぶ線は、前記第４線に対して略５〜略５０度の傾きを有する
ことを特徴とする検知装置。
【請求項１４】
請求項１に記載の検知装置であって、
前記対象物へ赤外光を照射する赤外光発光素子と、
前記赤外光発光素子が発光した光を受光する赤外光受光素子であって、前記赤外光発光素子との間に前記対象物が通過可能な隙間が形成された赤外光受光素子と、
前記第１発光素子が発光した光を受光する第３受光素子と、
前記赤外光発光素子と、前記第１発光素子と、を交互に点灯させる第１回路と、
前記赤外光受光素子と前記第１発光素子と前記第３受光素子とにおける検出結果を増幅して出力する第２回路と、
前記赤外光発光素子と前記第１発光素子との点灯タイミングと、前記第２回路からの出力と、に基づいて検知対象の透明部又は不透明部の有無を判断する判断部と、
を備え、
前記第１発光側偏光板及び前記第１受光側偏光板は、前記第１発光素子と前記第３受光素子との間に設けられ、
前記第１発光素子の中心と前記第３受光素子の中心とを結ぶ線は、前記第２線に対して傾いており、
前記第２回路は、前記第１受光素子における検出結果を増幅した値と、前記第３受光素子における検出結果を増幅した値のうちの高い値を出力する
ことを特徴とする検知装置。
【発明の詳細な説明】
【技術分野】
【０００１】
本発明は、検知装置に関する。
【背景技術】
【０００２】
特許文献１には、対向する投光部および受光部によって、搬送路上を搬送される対象物の透明部を検出する投受光センサが開示されている。この投受光センサにおいては、投光部と搬送路との間に投光側偏光子が配置され、受光部と搬送路との間に受光側偏光子が配置されており、投光側偏光子の偏光方向および受光側偏光子の偏光方向は、互いに直交すると共に、対象物の搬送方向に対してそれぞれ４５度の角度をなしている。
【先行技術文献】
【特許文献】
【０００３】
【特許文献１】特開２０１４−２９３０１号公報
【発明の概要】
【発明が解決しようとする課題】
【０００４】
特許文献1に記載の発明は、ポリマー紙幣の透明部を検出するものである。ポリマー紙幣は、透明な合成樹脂を伸ばして形成されたフィルムに、透明な部分（透明部）を残し、それ以外の部分に印刷等を行なうことで形成される。フィルムは樹脂を伸ばして形成されるため、透明部は光を回転させる旋光性を有する。この旋光性は、フィルム（ポリマー紙幣）の製造に起因するばらつきを有する。【０００５】
しかしながら、特許文献１に記載の発明では、ポリマー紙幣の旋光性によっては、ポリマー紙幣の透明部を検知できないおそれがある。具体的には、特許文献１に記載の発明では、透明部のもつ旋光性によって偏光された光が偏光子が通過することを利用しているが、旋光性のばらつきによっては、光が透明部で偏光せず、偏光子を通過しない、すなわち、透明部を検知できないおそれがある。【０００６】
本発明はこのような事情に鑑みてなされたもので、透明部の旋光性のばらつきによらず、透明部を検知することができる検知装置を提供することを目的とする。
【課題を解決するための手段】
【０００７】
上記課題を解決するために、本発明に係る検知装置は、例えば、透明部を有する対象物へ可視光を照射する第１発光素子と、前記第１発光素子が発光した光を受光する第１受光素子と、前記第１発光素子と前記第１受光素子との間に設けられた第１発光側偏光板と、前記第１発光側偏光板と前記第１受光素子との間に設けられ、偏光方向が前記第１発光側偏光板の偏光方向と略９０度異なる第１受光側偏光板であって、前記第１発光側偏光板との間に前記対象物が通過可能な隙間を形成するように設けられた第１受光側偏光板と、を備え、前記第１発光素子の中心と前記第１受光素子の中心とを結ぶ第１線は、前記第１発光素子の中心を通り、前記第１発光側偏光板と前記第１受光側偏光板の延設方向と略直交する第２線に対して傾いていることを特徴とする。【０００８】
本発明に係る検知装置によれば、第１発光素子の中心と第１受光素子の中心とを結ぶ線は、第１発光素子の中心を通り、第１発光側偏光板と第１受光側偏光板の延設方向と略直交する線に対して傾いている。これにより、透明部の旋光性のばらつきによらず、透明部を検知することができる。【０００９】
ここで、前記対象物へ可視光を照射する第２発光素子と、前記第２発光素子が発光した光を受光する第２受光素子と、前記第２発光素子と前記第２受光素子との間に設けられた第２発光側偏光板と、前記第２発光側偏光板と前記第２受光素子との間に設けられ、偏光方向が前記第２発光側偏光板の偏光方向と略９０度異なる第２受光側偏光板であって、前記第２発光側偏光板との間に前記対象物が通過可能な隙間を形成するように設けられた第２受光側偏光板と、を備え、前記第２発光素子の中心と前記第２受光素子の中心とを結ぶ第３線は、前記第２発光素子の中心を通り、前記第２発光側偏光板と前記第２受光側偏光板の延設方向と略直交する第４線に対して傾いており、前記第１発光側偏光板と前記第２発光側偏光板とは、偏光方向が異なってもよい。これにより、どのような条件下であっても、透明部をより確実に検知することができる。【００１０】
ここで、前記第１受光素子及び前記第２受光素子の近傍に設けられた遮光部材を備え、前記遮光部材には、前記第１線が貫通する第１スリットが前記第１受光素子の近傍に形成され、前記第３線が貫通する第２スリットが前記第２受光素子の近傍に形成され、前記第２発光素子の中心と前記第１受光素子の中心とを結ぶ第５線と、前記第１発光素子の中心と前記第２受光素子の中心とを結ぶ第６線とは、前記遮光部材と交差してもよい。これにより、受光素子に余計な光が入射せず、対称物の検知精度を高くすることができる。【００１１】
ここで、前記第１発光素子及び前記第２発光素子の近傍に設けられた第２遮光部材を備え、前記第２遮光部材には、前記第１線が貫通する第３スリットが前記第１発光素子の近傍に形成され、前記第３線が貫通する第４スリットが前記第２発光素子の近傍に形成され、前記第２線と、前記第４線と、前記第２発光素子の中心と前記第１受光素子の中心とを結ぶ第５線と、前記第１発光素子の中心と前記第２受光素子の中心とを結ぶ第６線とは、前記第２遮光部材と交差してもよい。これにより、受光素子に余計な光が入射せず、検知精度を高くすることができる。【００１２】
ここで、前記第１発光素子の近傍に設けられ、前記第１発光素子から出射した光を集光して前記対象物に照射させる第１発光側レンズと、前記第１受光素子の近傍に設けられ、前記透明部を通過した光を集光して前記第１受光素子へ導く第１受光側レンズと、を備えてもよい。また、前記第１発光素子の近傍に設けられ、前記第１発光素子から出射した光を集光して前記対象物に照射させる第１発光側レンズと、前記第２発光素子の近傍に設けられ、前記第２発光素子から出射した光を集光して前記対象物に照射させる第２発光側レンズと、を備えてもよい。さらに、前記第１受光素子の近傍に設けられ、前記透明部を通過した光を集光して前記第１受光素子へ導く第１受光側レンズと、前記第２受光素子の近傍に設けられ、前記透明部を通過した光を集光して前記第２受光素子へ導く第２受光側レンズと、を備えてもよい。これにより、偏光光を狭い領域に集めて対象物に照射し、透明部を通過した光のうちの受光素子に入射する光量を多くすることができる。したがって、透明部の検知精度をさらに向上させることができる。【００１３】
ここで、前記第１線は、前記第２線に対して略５〜略５０度の傾きを有してもよい。また、前記第１線は、前記第２線に対して略５〜略５０度の傾きを有し、前記第３線は、前記第４線に対して略５〜略５０度の傾きを有してもよい。これにより、対象物の旋光性の個体差によらず、第１線が第２線に対して傾いていない場合と比べて大きな出力を得ることができる。【００１４】
ここで、前記第１発光側偏光板と前記第２発光側偏光板とは、偏光方向が略４５度異なってもよい。透明部を通過した偏光光を受光素子で受光した場合における出力のピークは９０度毎であるため、第１発光側偏光板と第２発光側偏光板との偏光方向の差異を略４５度とすることで、対象物の個体差によらず確実に透明部を検知することができる。【００１５】
ここで、前記対象物へ赤外光を照射する赤外光発光素子と、前記赤外光発光素子が発光した光を受光する赤外光受光素子と、を備え、前記赤外光発光素子と前記赤外光受光素子との間には、前記対象物が通過可能な隙間が形成されてもよい。これにより、透明部と透明部で無い部分とを有するポリマー紙幣を検知することができる。【００１６】
ここで、前記第１発光素子が発光した光を受光する第３受光素子を備え、前記第１発光側偏光板及び前記第１受光側偏光板は、前記第１発光素子と前記第３受光素子との間に設けられ、前記第１発光素子の中心と前記第３受光素子の中心とを結ぶ線は、前記第２線に対して略５〜略５０度の傾きを有してもよい。また、前記第１発光素子が発光した光を受光する第３受光素子と、前記第２発光素子が発光した光を受光する第４受光素子と、を備え、前記第１発光側偏光板及び前記第１受光側偏光板は、前記第１発光素子と前記第３受光素子との間に設けられ、前記第２発光側偏光板及び前記第２受光側偏光板は、前記第２発光素子と前記第４受光素子との間に設けられ、前記第１発光素子の中心と前記第３受光素子の中心とを結ぶ線は、前記第２線に対して略５〜略５０度の傾きを有し、前記第２発光素子の中心と前記第４受光素子の中心とを結ぶ線は、前記第４線に対して略５〜略５０度の傾きを有してもよい。これにより、透明部を有する対象物を確実に検知することができる。また、受光素子の近傍にレンズ部材を設けなくても、検知精度を高くすることができる。【００１７】
ここで、前記対象物へ赤外光を照射する赤外光発光素子と、前記赤外光発光素子が発光した光を受光する赤外光受光素子であって、前記赤外光発光素子との間に前記対象物が通過可能な隙間が形成された赤外光受光素子と、前記第１発光素子が発光した光を受光する第３受光素子と、前記赤外光発光素子と、前記第１発光素子と、を交互に点灯させる第１回路と、前記赤外光受光素子と前記第１発光素子と前記第３受光素子とにおける検出結果を増幅して出力する第２回路と、前記赤外光発光素子と前記第１発光素子との点灯タイミングと、前記第２回路からの出力と、に基づいて検知対象の透明部又は不透明部の有無を判断する判断部と、を備え、前記第１発光側偏光板及び前記第１受光側偏光板は、前記第１発光素子と前記第３受光素子との間に設けられ、前記第１発光素子の中心と前記第３受光素子の中心とを結ぶ線は、前記第２線に対して傾いており、前記第２回路は、前記第１受光素子における検出結果を増幅した値と、前記第３受光素子における検出結果を増幅した値のうちの高い値を出力してもよい。これにより、第１発光素子、第３受光素子のいずれかで赤色光を捉えることで透明部を検知することができる。
【発明の効果】
【００１８】
本発明によれば、透明部の旋光性のばらつきによらず、透明部を検知することができる。
【図面の簡単な説明】
【００１９】
【図１】本発明の一例である検知装置１の概略を示す斜視図である。
【図２】検知装置１の概略を示す側面図である。
【図３】発光側偏光板３１、３２及び受光側偏光板３３、３４の偏光方向を模式的に示す図である。
【図４】発光側偏光板３１と発光側偏光板３２との偏光方向、及び受光側偏光板３３と受光側偏光板３４との偏光方向を略４５度異ならせたときの、受光素子２１、２２における出力を測定した図である。
【図５】発光側偏光板３１及び受光側偏光板３３と、光の経路との関係を説明する図であり、（Ａ）は、ポリマー紙幣Ｂが無い場合を示し、（Ｂ）は、クリアウインドウＢ２の偏光方向がｘ方向に対して斜め４５度である場合を示し、（Ｃ）は、クリアウインドウＢ２の偏光方向がｘ方向である場合を示す。
【図６】角度Ｙを変えた場合における、受光素子２２の出力の変化を示すグラフである。
【図７】本発明の一例である検知装置２の概略を示す側面図である。
【図８】本発明の一例である検知装置３の概略を示す斜視図である。
【図９】検知装置３の概略を示す側面図であり、要部を透視した図である。
【図１０】発光素子１１、１５と、受光素子２１、２５、２６、２７との位置関係を模式的に示す図である。
【図１１】発光部１０Ａの回路構成の一例を示す概略図である。
【図１２】受光部２０Ａの回路構成の一例を示す概略図である。
【図１３】図１１、１２に示す回路を用いる場合における駆動信号、出力信号を説明する図である。
【図１４】変形例に係る検知装置３Ａの概略を示す側面図であり、要部を透視した図である。
【発明を実施するための形態】
【００２０】
以下、本発明の実施形態を、図面を参照して詳細に説明する。以下、本発明を、対象物を搬送する搬送装置の内部に設けられる検知装置を例に説明する。検知装置は、搬送装置内を搬送される対象物を検知するものである。対象物は、透明部を有するものであり、本実施の形態ではポリマー紙幣とする。なお、対象物はポリマー紙幣に限定されず、透明なフィルム状のものであればよい。
【００２１】
＜第１の実施の形態＞
図１は、本発明の一例である検知装置１の概略を示す斜視図である。図２は、本発明の一例である検知装置１の概略を示す側面図である。
【００２２】
検知装置１は、主として、発光部１０と、受光部２０と、偏光部３０と、を備える。そして、発光部１０と、受光部２０との間には、偏光部３０（発光側偏光板３１、３２及び受光側偏光板３３、３４）が設けられる。
【００２３】
発光側偏光板３１、３２と受光側偏光板３３、３４との間の空間は、ポリマー紙幣Ｂが搬送される搬送路（図２参照）である。ポリマー紙幣Ｂは、搬送路内を＋ｘ側から−ｘ側に向けて搬送される。なお、平面視略長方形状のポリマー紙幣Ｂは、金額および模様等が印刷された不透明な印刷部Ｂ１（不透明部）と、印字がされていないクリアウインドウＢ２（透明部）と、を有する。
【００２４】
発光部１０は、主として、赤外光及び可視光を発光する発光素子１１と、可視光を発光する発光素子１２と、遮光部材１３と、発光素子１１や発光素子１２が実装される発光側基板１４と、を有する。
【００２５】
発光素子１１、１２は、ポリマー紙幣Ｂへ赤外光や可視光を照射する。発光素子１１は、赤外光（例えば、波長が８８０ｎｍ程度の光）を発光する発光ダイオード（Light Emitting Diode、ＬＥＤ）と、可視光のうちの赤色光（例えば、波長が６５０ｎｍ〜７００ｎｍ程度の光）を発光するＬＥＤと、を有する。発光素子１２は、赤色光を発光するＬＥＤである。
【００２６】
本実施の形態では、発光素子１１、１２は赤色光を発光するが、青色光（例えば、波長が４５０ｎｍ程度の光）や、緑色光（例えば、波長が５２０ｎｍ程度の光）を発光してもよい。また、発光素子１１、１２は、ＬＥＤに限らず、様々な形態の発光素子を用いることができる。
【００２７】
発光素子１１、１２は、ｘ方向に沿って隣接して設けられる。ただし、発光素子１１、１２の配置はこれに限定されない。例えば、発光素子１１と発光素子１２とが離れて配置されていてもよい。
【００２８】
発光素子１１、１２の−ｚ側（搬送路側）には、発光素子１１、１２に隣接して遮光部材１３が設けられる。本実施の形態では、遮光部材１３は発光素子１１、１２と、発光側偏光板３１、３２との間に設けられるが、遮光部材１３は発光素子１１、１２の近傍に設けられていればよい。例えば、発光素子１１、１２と遮光部材１３との間に発光側偏光板３１、３２が設けられていてもよい。
【００２９】
遮光部材１３には、スリット１３ａ、１３ｂが形成される。スリット１３ａは、発光素子１１の近傍に形成され、スリット１３ｂは、発光素子１２の近傍に形成される。本実施の形態では、２つのスリット１３ａ、１３ｂが形成された１つの遮光部材１３を用いるが、遮光部材の形態はこれに限らず、スリット１３ａが形成された遮光部材と、スリット１３ｂが形成された遮光部材と、の２つの遮光部材を用いてもよい。
【００３０】
受光部２０は、主として、発光素子１１が発光した赤外光及び赤色光を受光する受光素子２１と、発光素子１２が発光した赤色光を受光する受光素子２２と、遮光部材２３と、受光素子２１、２２が実装される受光側基板２４と、を有する。
【００３１】
受光素子２１、２２は、光を受けて電気に変換する素子であり、例えばフォトトランジスタが用いられる。受光素子２１は、発光側偏光板３１及び受光側偏光板３３を挟んで、発光素子１１と対向するように設けられる。受光素子２２は、発光側偏光板３２及び受光側偏光板３４を挟んで、発光素子１２と対向するように設けられる。
【００３２】
受光素子２１の中心は、発光素子１１の中心と平面視（ｚ方向から見た場合）における位置が異なる。また、受光素子２２の中心は、発光素子１２の中心と平面視における位置が異なる。具体的には、図２に示すように、発光素子１１の中心と受光素子２１の中心を結ぶ線ａ１は、発光素子１１の中心を通り、発光側偏光板３１、３２及び受光側偏光板３３、３４の延接方向（ここでは、ｘｙ平面）と略直交するｚ方向に沿った線ａ２に対して角度Ｙだけ傾いている。また、発光素子１２の中心と受光素子２２の中心を結ぶ線ａ３は、発光素子１２の中心を通り、ｚ方向に沿った線ａ４に対して角度Ｙだけ傾いている。角度Ｙについては、後に詳述する。
【００３３】
受光素子２１及び受光素子２２の＋ｚ側（搬送路側）には、受光素子２１及び受光素子２２に隣接して遮光部材２３が設けられる。本実施の形態では、遮光部材２３は受光素子２１及び受光素子２２と、受光側偏光板３３、３４との間に設けられるが、遮光部材２３は受光素子２１、２２の近傍に設けられていればよい。例えば、受光素子２１、２２と遮光部材２３との間に受光側偏光板３３、３４が設けられていてもよい。
【００３４】
遮光部材２３には、スリット２３ａ、２３ｂが形成される。スリット２３ａは、受光素子２１の近傍に形成され、スリット２３ｂは、受光素子２２の近傍に形成される。線ａ１はスリット２３ａを貫通し、線ａ３はスリット２３ｂを貫通する。発光素子１１の中心と受光素子２２の中心を結ぶ線ａ５は、スリット２３ａを貫通せず、遮光部材２３と交差する。また、発光素子１２の中心と受光素子２１の中心を結ぶ線ａ６は、スリット２３ｂを貫通せず、遮光部材２３と交差する。
【００３５】
本実施の形態では、２つのスリット２３ａ、２３ｂが形成された１つの遮光部材２３を用いるが、遮光部材の形態はこれに限らず、スリット２３ａが形成された遮光部材と、スリット２３ｂが形成された遮光部材と、の２つの遮光部材を用いてもよい。
【００３６】
偏光部３０は、発光側偏光板３１、３２及び受光側偏光板３３、３４を有する。発光側偏光板３１、３２及び受光側偏光板３３、３４は、特定方向に偏光した光のみを通過させる略板状の偏光子であり、ｘｙ平面に沿って延設される。
【００３７】
発光側偏光板３１は、発光素子１１と受光素子２１との間に設けられ、発光側偏光板３２は、発光素子１２と受光素子２２との間に設けられる。受光側偏光板３３は、発光素子１１と受光素子２１との間に設けられ、受光側偏光板３４は、発光素子１２と受光素子２２との間に設けられる。受光側偏光板３３と発光側偏光板３１との間、及び受光側偏光板３４と発光側偏光板３２との間には、搬送路が形成される。
【００３８】
発光側偏光板３１、３２は、遮光部材１３に隣接して、かつ遮光部材１３に形成されたスリット１３ａ、１３ｂをそれぞれ覆うように設けられる。したがって、発光素子１１が発光し、スリット１３ａを通った光は、発光側偏光板３１を通ってポリマー紙幣Ｂに照射される。また、発光素子１２が発光し、スリット１３ｂを通った光は、発光側偏光板３２を通ってポリマー紙幣Ｂに照射される。
【００３９】
受光側偏光板３３、３４は、遮光部材２３に隣接して、かつ遮光部材２３に形成されたスリット２３ａ、２３ｂをそれぞれ覆うように設けられる。したがって、ポリマー紙幣Ｂ及び受光側偏光板３３を通過した光のうち、スリット２３ａを通った光が、受光素子２１で受光される。また、ポリマー紙幣Ｂ及び受光側偏光板３４を通過した光のうち、スリット２３ｂを通った光が、受光素子２２で受光される。
【００４０】
なお、本実施の形態では、発光側偏光板３１、３２は遮光部材１３に当接し、受光側偏光板３３、３４は遮光部材２３に当接しているが、発光側偏光板３１、３２は遮光部材１３に当接していなくてもよいし、受光側偏光板３３、３４は遮光部材２３に当接していなくてもよい。すなわち、発光側偏光板３１、３２は遮光部材１３に隣接していればよいし、受光側偏光板３３、３４は遮光部材２３に隣接していればよい。
【００４１】
図３は、発光側偏光板３１、３２及び受光側偏光板３３、３４の偏光方向を模式的に示す図である。図３における線ｂ１〜ｂ４は、それぞれ発光側偏光板３１、３２及び受光側偏光板３３、３４の偏光方向を示す。
【００４２】
発光側偏光板３１と受光側偏光板３３とは偏光方向が略９０度異なり、発光側偏光板３２と受光側偏光板３４とは偏光方向が略９０度異なる。
【００４３】
また、発光側偏光板３１と発光側偏光板３２とは偏光方向が異なり、受光側偏光板３３と受光側偏光板３４とは偏光方向が異なる。本実施の形態では、発光側偏光板３１と発光側偏光板３２との偏光方向の差、受光側偏光板３３と受光側偏光板３４との偏光方向の差は略４５度である。具体的には、発光側偏光板３２の偏光方向ｂ２は、発光側偏光板３１の偏光方向ｂ１から反時計回りに略４５度回転しており、受光側偏光板３４の偏光方向ｂ４は、受光側偏光板３３の偏光方向ｂ３から略４５度回転している。
【００４４】
図４は、発光側偏光板３１と発光側偏光板３２との偏光方向、及び受光側偏光板３３と受光側偏光板３４との偏光方向が略４５度異なるときの、受光素子２１、２２における出力を測定した図である。図４に示す測定値は、室温下において、発光素子１１、１２から照射される光の波長が６２５ｎｍ、発光素子１１、１２の順電流が２０ｍＡ、受光素子２１、２２のコレクタ・エミッタ間の電圧が５Ｖ、発光素子１１と受光素子２１の距離及び発光素子１２と受光素子２２の距離が４ｍｍという測定条件下で得られたものである。
【００４５】
図４に示す測定値は、ポリマー紙幣ＢのクリアウインドウＢ２を線ａ２、ａ４と交差する位置でｘｙ平面に沿って回転させた場合における受光素子２１、２２の値である。図４のグラフにおける径方向の値は、受光素子２１、２２が可視光を受光したときの出力値である。図４のグラフにおいて、測定値が中心に近い場合は受光素子２１、２２の出力が低い場合であり、測定値が周縁に近い場合は受光素子２１、２２の出力が大きい場合である。また、図４のグラフにおける周方向の値は、ポリマー紙幣Ｂの回転角度を示すものであり、ポリマー紙幣Ｂの長手方向がｘ方向と略平行な場合を０度と定義する。なお、図４における受光素子２１、２２の出力値は、電流値又は電圧値であり、ポリマー紙幣Ｂの回転角度が０度のときの受光素子２２の出力値を１００とした時の相対値である。
【００４６】
図４のグラフにおいて、受光素子２１における出力は、略６０度、略１５０度、略２４０度、略３３０度で最も大きくなり、略１５度、略１０５度、略１９５度、略２８５度で最も小さくなる。また、受光素子２２における出力は、略１５度、略１０５度、略１９５度、略２８５度で最も大きくなり、略６０度、略１５０度、略２４０度、略３３０度で最も小さくなる。なお、図４のグラフ作成に用いたポリマー紙幣Ｂは一例である。ポリマー紙幣Ｂの旋光性には個体差があるため、ポリマー紙幣Ｂが変われば出力値のピーク位置や形状が変わる可能性がある。
【００４７】
受光素子２１に入射する光は発光側偏光板３１及び受光側偏光板３３を通過しており、受光素子２２に入射する光は発光側偏光板３２及び受光側偏光板３４を通過している。このように、発光側偏光板、受光側偏光板及び受光素子を２組（発光側偏光板３１、受光側偏光板３３及び受光素子２１の組み合わせと、発光側偏光板３２、受光側偏光板３４及び受光素子２２の組み合わせ）用いることで、一方（例えば、発光側偏光板３１、受光側偏光板３３及び受光素子２１）との相性は悪くても、他方の偏光板の組み合わせ（例えば、発光側偏光板３２、受光側偏光板３４及び受光素子２２）との相性は良い状態となる。例えば、ポリマー紙幣Ｂの回転角度が６０度のときは、受光素子２２の出力は低くなっているが、受光素子２１の出力が高くなっている。このように、２組のうちのいずれか一方でも相性がよければ、相性がよい方の受光素子（受光素子２１又は受光素子２２）で高い出力を得ることができる。
【００４８】
なお、発光側偏光板３１、３２及び受光側偏光板３３、３４の偏光方向は、本実施の形態で例示する形態に限られない。例えば、発光側偏光板３１と発光側偏光板３２と、及び受光側偏光板３３と受光側偏光板３４とは偏光方向が略４５度異なったが、発光側偏光板３１と発光側偏光板３２と、及び受光側偏光板３３と受光側偏光板３４とは偏光方向が異なっていればよい。また、本実施の形態では、発光側偏光板３１の偏光方向は縦方向（ｙ方向）であるが、発光側偏光板３１の偏光方向はｘ方向でもよいし、ｘ方向から任意の角度（例えば、３０度）だけ回転していてもよい。さらに、発光側偏光板３２の偏光方向は、発光側偏光板３１の偏光方向から反時計回りに略４５度回転しているが、発光側偏光板３１の偏光方向から時計回りに略４５度回転していてもよい。
【００４９】
このように構成された検知装置１の検知動作について、図２を用いて説明する。発光素子１１からは、ポリマー紙幣Ｂに赤外光が照射される。赤外光が印刷部Ｂ１に照射されている間は受光素子２１で信号が検出されず、赤外光が印刷部Ｂ１に照射されていない間は受光素子２１で信号が検出される。このように、発光素子１１及び受光素子２１により、印刷部Ｂ１が検知される。
【００５０】
それと同時に、発光素子１１、１２からは、ポリマー紙幣Ｂに可視光（ここでは、赤色光）が照射される。図２に示すように、発光素子１１が発光した光のうち、スリット１３ａを通った光のみが発光側偏光板３１を通過する。また、発光素子１２が発光した光のうち、スリット１３ｂを通った光のみが発光側偏光板３２を通過する。スリット１３ａ、１３ｂの開口面積は、それぞれ発光側偏光板３１、３２よりも小さいため、ポリマー紙幣Ｂへは発光側偏光板３１、３２を通過した偏光光のみが照射される。
【００５１】
発光側偏光板３１、３２を通過し、ポリマー紙幣Ｂを通過した偏光光は、それぞれ受光側偏光板３３、３４を通過して受光素子２１、２２に入射する。受光素子２１、２２に隣接して設けられたスリット２３ａ、２３ｂの開口面積は、それぞれ受光側偏光板３３、３４よりも小さい。したがって、受光側偏光板３３、３４を通過した偏光光のみ受光素子２１、２２で受光される。
【００５２】
また、スリット１３ａ、２３ａは、発光素子１１から発光された光が受光素子２１で受光され、発光素子１２から発光された光が受光素子２１で受光されない大きさで形成される（図２の長破線参照）。また、スリット１３ｂ、２３ｂは、発光素子１１から発光された光が受光素子２１で受光されず、発光素子１２から発光された光が受光素子２１で受光される大きさで形成される（図２の長破線参照）。その結果、発光素子１１から発光された光は受光素子２１のみで受光され、発光素子１２から発光された光は受光素子２２のみで受光される。したがって、受光素子２１、２２に余計な光が入射せず、検知の精度を高くすることができる。
【００５３】
また、発光側偏光板３１、３２を通過した偏光光は、クリアウインドウＢ２を通過することで偏光の向きが変わり、受光側偏光板３３、３４をそれぞれ通過可能となる。図５は、発光側偏光板３１及び受光側偏光板３３と、光の経路との関係を説明する図であり、（Ａ）は、ポリマー紙幣Ｂが無い場合を示し、（Ｂ）は、クリアウインドウＢ２の偏光方向がｘ方向に対して斜め４５度である場合を示し、（Ｃ）は、クリアウインドウＢ２の偏光方向がｘ方向である場合を示す。図５において、光の経路を二点鎖線で示す。また、図５において、発光側偏光板３１、受光側偏光板３３及びクリアウインドウＢ２の内部には、偏光方向を示す線が表示されている。
【００５４】
図５（Ａ）に示すように、発光側偏光板３１の偏光方向と受光側偏光板３３の偏光方向とが略直交するため、ポリマー紙幣Ｂが無い場合（偏光光がクリアウインドウＢ２を通過しない場合）は、偏光光が受光側偏光板３３を通過せず、受光素子２１で信号が検出されない。
【００５５】
発光側偏光板３１の偏光方向はｘ方向であり、受光側偏光板３３の偏光方向はｙ方向であるため、クリアウインドウＢ２の偏光方向がｘ方向及びｙ方向でない場合、例えば図５（Ｂ）に示すようにクリアウインドウＢ２の偏光方向が斜め４５度のときには、クリアウインドウＢ２を通過した偏光光が受光側偏光板３３を通過して受光素子２１に入射する。
【００５６】
しかしながら、図５（Ｃ）に示すようにクリアウインドウＢ２の偏光方向がｘ方向及びｙ方向である場合には、例えば発光素子１１と受光素子２１とが対向しているときには、ｚ方向に進む偏光光については、図５（Ａ）に示す場合と同様に、偏光光が受光側偏光板３３を通過せず、発光素子１１で信号が検出されない。しかしながら、ｚ方向に対して傾いた方向に進む偏光光については、受光側偏光板３３を通過して受光素子２１に入射する。そのため、図２に示すように、線ａ１が線ａ２に対して傾いており、線ａ３が線ａ４に対して傾いている。
【００５７】
次に、線ａ１、ａ３が線ａ２、ａ４に対してそれぞれどの程度傾ければよいか、すなわち角度Ｙ（図２参照）をどの程度とするかについて説明する。図６は、角度Ｙを変えた場合における、受光素子２１又は受光素子２２（ここでは、受光素子２２とする）の出力の変化を示すグラフである。図６の横軸は角度Ｙであり、縦軸は受光素子２２の出力（電流又は電圧）である。なお、図６におけるポリマー紙幣Ｂの回転角度は、図４における場合と同様である。また、図６に示す測定値は、図４に示す場合と同様の測定条件下で得られたものである。
【００５８】
ポリマー紙幣Ｂを７０度、８０度、１１０度回転させた場合は、それぞれ、搬送路にクリアウインドウＢ２が無い場合に比べて受光素子２２の出力が大きい。例えば角度Ｙが０度の場合において、搬送路にクリアウインドウＢ２が無い場合の出力（図示せず）は略０に近い値であり、このときの受光素子２２の出力値をＳとすると、ポリマー紙幣Ｂを７０度回転させたときの出力（以下、出力Ｏ１という）はＳの略１４倍であり、ポリマー紙幣Ｂを８０度回転させたときの出力（以下、出力Ｏ２という）はＳの略４５倍であり、ポリマー紙幣Ｂを１１０度回転させたときの出力（以下、出力Ｏ３という）はＳの略８０倍である。これは、クリアウインドウＢ２の偏光方向（旋光性）によって受光素子２２の出力が変化することを示している。
【００５９】
図６においては、ポリマー紙幣Ｂを１１０度回転させた場合（図６における一点鎖線参照）、ポリマー紙幣Ｂを８０度回転させた場合（図６における点線参照）、及び、ポリマー紙幣Ｂを７０度回転させた場合（図６における破線参照）における受光素子２２の出力の変化を、角度Ｙが０度のときの値を１００としたときの相対値で示す。
【００６０】
搬送路にポリマー紙幣Ｂがある場合には、ポリマー紙幣Ｂの回転角度によって受光素子２２の出力が変化する。ポリマー紙幣Ｂの回転角度によらず、角度Ｙが略５度を超えた辺りから、角度Ｙを大きくするにつれて受光素子２２の出力が大きくなる。出力Ｏ２、Ｏ３については、角度Ｙが１０〜１５度前後を境にして値が小さくなる。出力Ｏ１については、角度Ｙが３０度前後を境にして値が小さくなり、角度Ｙが略５０度の時に角度Ｙが０度のときの出力と略同じとなる。
【００６１】
検知装置１では、ポリマー紙幣Ｂの個体差を考慮して、絶対値が最も小さい出力Ｏ１において角度Ｙが０度のときの値以下とならないように、角度Ｙを略５〜略５０度とすることが望ましい。なお、角度Ｙが略５０度の場合において、出力Ｏ２、Ｏ３の絶対値は出力Ｏ１の絶対値より大きいため、不具合は生じない。
【００６２】
ただし、角度Ｙは略５〜略５０度に限られず、角度Ｙが０より大きければ、受光素子２１、２２の出力を大きくするという効果が得られる。また、受光素子２１、２２の出力角度Ｙを略５〜略２５度とすることで、ポリマー紙幣Ｂの旋光性の差異に関わらず、角度Ｙが０度の場合と比べて大きな出力を得ることができる。
【００６３】
検知装置１は、図示しない判断部を有する。判断部は、受光素子２１における赤外光の受光結果、及び受光素子２１、２２における可視光の受光結果に基づいて、ポリマー紙幣Ｂの有無を判断する。受光素子２１において赤外光を受光し、受光素子２１、２２において可視光を受光しなかった場合には、判断部は、搬送路にポリマー紙幣Ｂが存在しないと判断する。また、受光素子２１において赤外光を受光せず、受光素子２１、２２において可視光を受光しなかった場合には、判断部は、搬送路の検知領域（受光素子２１、２２からの光が照射される領域）に印刷部Ｂ１があると判断する。さらに、受光素子２１において赤外光を受光し、受光素子２１、２２において可視光を受光した場合には、判断部は、搬送路の検知領域にクリアウインドウＢ２がある判断する。このように、印刷部Ｂ１の検知とクリアウインドウＢ２の検知とを組み合わせることで、ポリマー紙幣Ｂの有無が判断可能である。
【００６４】
判断部としては、ＣＰＵ、ＲＡＭ、ＲＯＭ、各種入出力装置等を搭載した処理装置であるワンチップマイクロコンピュータや、トランジスタ、抵抗等を含むアナログ回路を用いることができる。ワンチップマイクロコンピュータやアナログ回路は既に公知であるため、説明を省略する。
【００６５】
本実施の形態によれば、発光素子１１の中心と受光素子２１の中心を結ぶ線ａ１は、発光素子１１の中心を通り、ｚ方向に沿った線ａ２に対して傾いており、発光素子１２の中心と受光素子２２の中心を結ぶ線ａ３は、発光素子１２の中心を通り、ｚ方向に沿った線ａ４に対して傾いているため、ポリマー紙幣Ｂの個体差によらず、クリアウインドウＢ２を確実に検知することができる。特に、線ａ１と線ａ２及び線ａ３と線ａ４とのなす角度Ｙを略５〜略４０度とすることで、クリアウインドウＢ２を確実に検知することができる。
【００６６】
また、本実施の形態によれば、発光素子、発光側偏光板、受光側偏光板及び受光素子を２組（発光側偏光板３１、受光側偏光板３３及び受光素子２１の組み合わせと、発光側偏光板３２、受光側偏光板３４及び受光素子２２の組み合わせ）有し、発光側偏光板３１、受光側偏光板３３の偏光方向と、発光側偏光板３２、受光側偏光板３４の偏光方向と、が異なるため、ポリマー紙幣Ｂの旋光性のばらつきによらず、クリアウインドウＢ２を確実に検知することができる。
【００６７】
例えば、発光素子と受光素子とを単に対向させ、発光素子と受光素子との間に一対の偏光板を設けた場合には、ポリマー紙幣Ｂの旋光性と、発光側偏光板３１、３２、受光側偏光板３３、３４の組み合わせによっては、受光素子２１、２２で受光される光量が著しく低くなってしまい、クリアウインドウＢ２が検知できないおそれがある。それに対し、偏光板の偏光方向が異なる２組の発光側偏光板、受光側偏光板及び受光素子を有することと、角度Ｙを設けることで、異なる旋光性を有するポリマー紙幣Ｂに対応することができる。
【００６８】
また、本実施の形態によれば、スリット１３ａ、２３ａにより、発光素子１１から発光された光のみが受光素子２１で受光され、スリット１３ｂ、２３ｂにより、発光素子１２から発光された光が受光素子２１で受光されるため、クリアウインドウＢ２の検知の精度を高くすることができる。
【００６９】
なお、本実施の形態では、発光側偏光板３１、受光側偏光板３３の偏光方向と、発光側偏光板３２、受光側偏光板３４の偏光方向との差は略４５度であるが、この差は略４５度に限られない。しかしながら、図４に示すように、受光素子２１、２２における出力のピークが９０度毎であるため、発光側偏光板３１、受光側偏光板３３の偏光方向と、発光側偏光板３２、受光側偏光板３４の偏光方向との差を略４５度とすることが望ましい。これにより、ポリマー紙幣Ｂの個体差によらず確実にクリアウインドウＢ２を検知することができる。
【００７０】
また、本実施の形態では、スリット１３ａ、１３ｂ、２３ａ、２３ｂが形成された遮光部材１３、２３をそれぞれ発光側偏光板３１、３２、受光側偏光板３３、３４に隣接して設けたが、スリット１３ａ、１３ｂ、２３ａ、２３ｂは必須ではない。発光素子１１、１２、受光素子２１、２２や発光側偏光板３１、３２、受光側偏光板３３、３４の位置関係よっては、スリット１３ａ、１３ｂ、２３ａ、２３ｂが無くてもクリアウインドウＢ２を検知可能である。ただし、発光側偏光板３１、３２を通過しない光がクリアウインドウＢ２に照射されないように、スリット１３ａ、１３ｂが形成された遮光部材１３を発光側偏光板３１、３２に隣接して設けることが望ましい。また、受光素子２１から出射された光が受光素子２２で受光されないように、かつ受光素子２２から出射された光が受光素子２１で受光されないように、スリット２３ａ、２３ｂが形成された遮光部材２３を受光側偏光板３３、３４に隣接して設けることが望ましい。
【００７１】
また、本実施の形態では、発光素子１１が赤外光及び可視光を発光し、受光素子２１が赤外光及び可視光を受光したが、発光素子１１及び受光素子２１が可視光のみを発光及び受光し、赤外線を発光する発光素子と赤外線を受光する受光素子とを別途設けてもよい。また、赤外線を発光する発光素子の中心と赤外線を受光する受光素子の中心とを結ぶ線は、ｚ方向に対して角度Ｙ（略５〜略５０度）だけ傾いていなくてもよく、例えば赤外線を発光する発光素子と赤外線を受光する受光素子とがｚ方向に略沿った線上に設けられていてもよい。
【００７２】
また、本実施の形態では、発光素子、発光側偏光板、受光側偏光板及び受光素子を２組有したが、最低限、発光素子、発光側偏光板、受光側偏光板及び受光素子を１組有すればよい。例えば、発光素子１１、発光側偏光板３１、受光側偏光板３３及び受光素子２１があればクリアウインドウＢ２が検知可能である。しかしながら、ポリマー紙幣Ｂの個体差によらず確実にクリアウインドウＢ２を検知するためには、発光素子、発光側偏光板、受光側偏光板及び受光素子を２組有することが望ましい。
【００７３】
＜第２の実施の形態＞
図７は、本発明の一例である検知装置２の概略を示す側面図である。検知装置２の説明において、第１の実施の形態にかかる検知装置１と同一の部分については、同一の符号を付し、説明を省略する。
【００７４】
検知装置１は、主として、発光部１０と、受光部２０と、偏光部３０と、レンズ部４０と、を備える。
【００７５】
レンズ部４０は、発光側レンズ部材４１と、受光側レンズ部材４２と、を有する。発光側レンズ部材４１は発光素子１１、１２の近傍に設けられ、受光側レンズ部材４２は受光素子２１、２２の近傍に設けられる。ここでは、発光側レンズ部材４１は発光側偏光板３１、３２に隣接して設けられ、受光側レンズ部材４２は受光側偏光板３３、３４に隣接して設けられる。
【００７６】
発光側レンズ部材４１は、発光素子１１の近傍、ここでは発光側偏光板３１に隣接して設けられた凸レンズ４１ａと、発光素子１２の近傍、ここでは発光側偏光板３２に隣接して設けられた凸レンズ４１ｂと、を有する。凸レンズ４１ａ、４１ｂは、それぞれ、発光素子１１、１２から出射し、それぞれ発光側偏光板３１、３２を通過した光を集光してポリマー紙幣Ｂに照射させる。これにより、偏光光を狭い領域に集めることができる。
【００７７】
なお、発光側レンズ部材４１（凸レンズ４１ａ、４１ｂ）は、発光側偏光板３１、３２に隣接して設けられるが、凸レンズ４１ａ、４１ｂはそれぞれ発光素子１１、１２の近傍に設けられていればよく、例えば凸レンズ４１ａ、４１ｂが発光素子１１、１２と発光側偏光板３１、３２との間に設けられていてもよい。
【００７８】
受光側レンズ部材４２は、受光素子２１の近傍、ここでは受光側偏光板３３に隣接して設けられる凸レンズ４２ａと、受光素子２２の近傍、ここでは受光側偏光板３４に隣接して設けられる凸レンズ４２ｂと、を有する。凸レンズ４２ａ、４２ｂは、ぞれぞれ、クリアウインドウＢ２を通過した光を集光されて受光側偏光板３３、３４（受光素子２１、２２）に導く。これにより、受光素子２１、２２に入射する光量を多くすることができる。
【００７９】
なお、本実施の形態では、受光側レンズ部材４２（凸レンズ４２ａ、４２ｂ）を、受光側偏光板３３、３４に隣接して設けたが、凸レンズ４２ａ、４２ｂはそれぞれ受光素子２１、２２の近傍に設けられていればよく、例えば凸レンズ４２ａ、４２ｂが受光素子２１、２２と受光側偏光板３３、３４との間に設けられていてもよい。
【００８０】
本実施の形態によれば、レンズ部４０を設けることで、クリアウインドウＢ２の検知精度をさらに向上させることができる。
【００８１】
なお、本実施の形態では遮光部材１３、２３を設けたが、レンズ部４０の位置等によっては、遮光部材１３、２３は不要である。
【００８２】
＜第３の実施の形態＞
図８は、本発明の一例である検知装置３の概略を示す斜視図である。検知装置３の説明において、検知装置１、２と同一の部分については、同一の符号を付し、説明を省略する。検知装置３は、主として、発光側ユニット５０と、受光側ユニット６０と、を備える。
【００８３】
発光側ユニット５０は、発光部１０Ａ（図９参照）等が内部に設けられる箱型のケース５１と、コネクタ５２と、を有する。受光側ユニット６０は、受光部２０Ａ（図９参照）等が内部に設けられる箱型のケース６１と、コネクタ６２と、を有する。なお、コネクタ５２、６２は必須ではない。
【００８４】
ケース５１とケース６１とは、光透過性樹脂を用いて形成される。ケース５１には凸部５１ａ、５１ｂが形成され、ケース６１には凸部６１ａ、６１ｂが形成される。凸部５１ａ、５１ｂ、６１ａ、６１ｂは、先端が覆われた略円筒形状である。
【００８５】
発光側ユニット５０と受光側ユニット６０とは、凸部５１ａ、５１ｂが形成された面５１ｃと、凸部６１ａ、６１ｂが形成された面６１ｃとが対向するように設けられる。面５１ｃと面６１ｃとの間は、ポリマー紙幣Ｂが搬送される搬送路である。
【００８６】
本実施の形態では、凸部５１ａ、５１ｂが並ぶ方向及び凸部６１ａ、６１ｂが並ぶ方向をｘ方向とする。また、凸部５１ａ、５１ｂ、６１ａ、６１ｂの先端面及び面５１ｃ、６１ｃと略平行な面をｘｙ平面とし、ｘｙ平面と直交する方向をｚ方向とする。
【００８７】
凸部５１ａの中心ａｘ１及び凸部５１ｂの中心ａｘ２は、それぞれ、凸部６１ａの中心ａｘ３及び凸部６１ｂの中心ａｘ４に対し、＋ｘ方向に距離ｘ１だけずれている。距離ｘ１は、ケース５１とケース６１との距離に応じて変更可能である。
【００８８】
図９は、検知装置３の概略を示す側面図であり、要部を透視した図である。ケース５１（凸部５１ａ、５１ｂを含む）は、内部が空洞であり、主として発光部１０Ａと、発光側偏光板３１、３２と、が内部に設けられる。ケース６１（凸部６１ａ、６１ｂを含む）は、内部が空洞であり、主として受光部２０Ａと、受光側偏光板３３、３４と、が内部に設けられる。
【００８９】
発光部１０Ａは、主として、赤外光及び可視光を発光する発光素子１１、１５と、遮光部材１３と、発光側基板１４と、を有する。発光素子１１、１５は、赤外光を発光する発光ダイオードＩＲと、可視光（ここでは、赤色光）を発光する発光ダイオードＲと、を有し、ポリマー紙幣Ｂへ赤外光と赤色光とを照射する。
【００９０】
発光素子１１、１５は、ｘ方向に沿って設けられる。ｘ方向において、発光素子１１の中心を通り、ｚ方向に沿った線ａ１１及び発光素子１５の中心を通り、ｚ方向に沿った線ａ１２は、それぞれ、凸部５１ａの中心ａｘ１及び凸部５１ｂの中心ａｘ２に対し＋ｘ方向に距離ｘ２だけずれている。
【００９１】
発光素子１１、１５の−ｚ側（搬送路側）には、遮光部材１３が設けられる。遮光部材１３は、遮光性を有する樹脂を用いてケース５１に設けられる。ここでは、遮光部材１３は、面５１ｃ及び凸部５１ａ、５１ｂの内壁面に設けられる。
【００９２】
遮光部材１３には、スリット１３ａ、１３ｂが形成される。スリット１３ａは、発光素子１１の近傍に形成され、スリット１３ｂは、発光素子１５の近傍に形成される。本実施の形態では、凸部５１ａ、５１ｂの側面及び面５１ｃは、遮光部材１３により覆われる。また、スリット１３ａ、１３ｂは、それぞれ、凸部５１ａ、５１ｂの先端面の裏側に形成される。
【００９３】
スリット１３ａ、１３ｂは、それぞれ、線ａ１１、ａ１２に対して−ｘ方向にずれている。言い換えると、平面視において、線ａ１１、ａ１２とスリット１３ａ、１３ｂとは重ならず、線ａ１１、ａ１２と遮光部材１３とは重なる。
【００９４】
スリット１３ａは、発光素子１１から照射された光が受光素子２１、２６（後に詳述）に入射し、かつ発光素子１１から照射された光が受光素子２５、２７（後に詳述）に入射しない大きさで形成される。また、スリット１３ｂは、発光素子１５から照射された光が受光素子２５、２７（後に詳述）に入射し、かつ受光素子２１、２６（後に詳述）に入射しない大きさで形成される。
【００９５】
発光素子１１の近傍、ここでは凸部５１ａの先端面には、凸レンズ４１ｃが一体形成される。発光素子１５の近傍、ここでは凸部５１ｂの先端面には、凸レンズ４１ｄが一体形成される。凸レンズ４１ｃ、４１ｄは、発光側レンズ部材４１Ａを構成する。凸レンズ４１ｃ、４１ｄの中心ａｘ５、ａｘ６は、平面視においてスリット１３ａ、１３ｂと重なる。
【００９６】
発光側偏光板３１、３２は、それぞれ、凸部５１ａ、５１ｂの先端面の裏側（遮光部材１３と凸レンズ４１ｃ、４１ｄとの間）に設けられる。発光側偏光板３１、３２の延接方向は、ｘｙ平面と略平行である。
【００９７】
発光素子１１、１５から出射し、それぞれ発光側偏光板３１、３２を通過した光は、凸レンズ４１ｃ、４１ｄにより集光されて、ポリマー紙幣Ｂに照射される。なお、凸レンズ４１ｃ、４１ｄは必須ではない。
【００９８】
受光部２０Ａは、主として、受光素子２１、２５、２６、２７（受光素子２６、２７は、図９においては図示省略。図１０参照）と、遮光部材２３と、受光側基板２４と、を有する。受光素子２１、２５、２６、２７は、赤外光と赤色光とを受けて電気に変換する素子であり、例えばフォトトランジスタが用いられる。
【００９９】
図１０は、発光素子１１、１５と、受光素子２１、２５、２６、２７との位置関係を模式的に示す図である。受光素子２１、２６は、発光素子１１が発光した赤外光及び赤色光を受光し、受光素子２５、２７は、発光素子１５が発光した赤外光及び赤色光を受光する。
【０１００】
受光素子２１、２５はｘ方向に沿って設けられ、受光素子２６、２７はｘ方向に沿って設けられる。受光素子２１、２６はｙ方向に沿って設けられ、受光素子２５、２７はｙ方向に沿って設けられる。受光素子２１と受光素子２６とを結ぶ線ｂ１と略直交する線は、線ａ１１と交差する。また、受光素子２５と受光素子２７を結ぶ線ｂ２と略直交する線は、線ａ１２と交差する。
【０１０１】
ここで、発光素子１１の中心と受光素子２１の中心とを結ぶ線を線ａ１３とし、発光素子１１の中心と受光素子２６の中心とを結ぶ線を線ａ１４とし、発光素子１５の中心と受光素子２５の中心とを結ぶ線を線ａ１５とし、発光素子１５の中心と受光素子２７の中心とを結ぶ線を線ａ１６とする。
【０１０２】
図９の説明に戻る。受光素子２１、２６は、凸部６１ａの−ｚ側に設けられ、受光素子２５、２７は、凸部６１ｂの−ｚ側に設けられる。ｘ方向において、受光素子２１（受光素子２６についても同様）の中心ａ２１及び受光素子２５（受光素子２７についても同様）の中心ａ２２は、それぞれ、凸部６１ａの中心ａｘ３及び凸部６１ｂの中心ａｘ４に対して、−ｘ方向に距離ｘ３だけずれている。
【０１０３】
受光素子２１、２６の中心は、発光素子１１の中心と平面視における位置が異なる。また、受光素子２５、２７の中心は、発光素子１２の中心と平面視における位置が異なる。具体的には、線ａ１３、線ａ１４（図９では図示省略）は、線ａ１１に対して角度Φだけ傾いている。また、線ａ１５、線ａ１６（図９では図示省略）は、線ａ１２に対して角度Φだけ傾いている。図９では、角度Φは略３０度である。
【０１０４】
受光素子２１、２５、２６、２７の＋ｚ側（搬送路側）には、遮光部材２３が設けられる。遮光部材２３は、遮光性を有する樹脂を用いてケース６１に設けられる。ここでは、遮光部材２３は、面６１ｃ及び凸部６１ａ、６１ｂの内壁面に設けられる。スリット２３ａは、受光素子２１、２６の近傍、ここでは凸部６１ａの先端面に形成され、スリット２３ｂは、受光素子２５、２７の近傍、ここでは凸部６１ｂの先端面に形成される。
【０１０５】
受光側偏光板３３、３４は、それぞれ、凸部６１ａ、６１ｂの先端の裏側に設けられる。受光側偏光板３３、３４の延接方向は、ｘｙ平面と略平行である。
【０１０６】
このように構成された検知装置３の検知動作について、図９を用いて説明する。発光素子１１、１５からは、ポリマー紙幣Ｂに赤外光が照射される。赤外光が印刷部Ｂ１に照射されている間は受光素子２１で信号が検出されず、赤外光が印刷部Ｂ１に照射されていない間は受光素子２１、２５、２６、２７で信号が検出される。このように、発光素子１１及び受光素子２１により、印刷部Ｂ１が検知される。
【０１０７】
それと同時に、発光素子１１、１５からは、ポリマー紙幣Ｂに可視光（ここでは、赤色光）が照射される。図９に示すように、発光素子１１が発光した光のうち、スリット１３ａを通った光のみが発光側偏光板３１を通過する。また、発光素子１２が発光した光のうち、スリット１３ｂを通った光のみが発光側偏光板３２を通過する。スリット１３ａ、１３ｂの開口面積は、それぞれ発光側偏光板３１、３２よりも小さいため、ポリマー紙幣Ｂへは発光側偏光板３１、３２を通過した偏光光のみが照射される。
【０１０８】
発光側偏光板３１、３２を通過した偏光光は、クリアウインドウＢ２を通過することで偏光の向きが変わり、受光側偏光板３３、３４をそれぞれ通過可能となる。
【０１０９】
線ａ１１と線ａ１２とは遮光部材１３と交差する。また、発光素子１５と受光素子２１とを結ぶ線ａ１７と、発光素子１５と受光素子２６とを結ぶ線（図示省略）と、発光素子１１と受光素子２５とを結ぶ線ａ１８と、発光素子１１と受光素子２７とを結ぶ線（図示省略）とは、遮光部材１３と交差する。そして、線ａ１３と線ａ１４（図示省略）とはスリット１３ａを貫通し、線ａ１５と線ａ１６（図示省略）はスリット１３ｂを貫通する。したがって、発光素子１１から照射された光は、受光素子２５、２７に入射せず、受光側偏光板３３を通過して受光素子２１、２６で受光される。また、発光素子１５から照射された光は受光素子２１、２６に入射せず、受光側偏光板３４を通過して受光素子２５、２７で受光される。これにより、受光素子２１、２５、２６、２７に余計な光が入射せず、検知精度を高くすることができる。
【０１１０】
次に、検知装置３がポリマー紙幣Ｂ（印刷部Ｂ１、クリアウインドウＢ２）をどのように検出するか詳細に説明する。図１１は、発光部１０Ａの回路構成の一例を示す概略図であり、図１２は、受光部２０Ａの回路構成の一例を示す概略図である。図１３は、図１１、１２に示す回路を用いる場合における駆動信号、出力信号の一例を説明する図である。
【０１１１】
図１３（Ａ）は、発光素子１１、１５における発光ダイオードＩＲを発光させるための駆動信号であり、発光ダイオードＩＲを点灯させるタイミングを示す。図１３（Ｂ）は、発光素子１１、１５における発光ダイオードＲを発光させるための駆動信号であり、発光ダイオードＲを点灯させるタイミングを示す。発光素子１１、１５においては、発光ダイオードＩＲと発光ダイオードＲとが交互に点灯する。最初の期間Ｉ（例えば、１５０マイクロ秒（μｓ））は発光ダイオードＩＲが点灯し、その後の期間ＩＩ（例えば、３００μｓ）は発光ダイオードＲが点灯する。
【０１１２】
図１３（Ｃ）は、図１２（３）（Ｖｏｕｔ（ＩＲ））から出力される電圧値を示す。図１３（Ｄ）は、図１２（２）（Ｖｏｕｔ（Ｒ））から出力される電圧値を示す。
【０１１３】
受光部２０Ａ（図１２参照）において、受光素子２１、２５、２６、２７からの出力は増幅回路に入力される。増幅回路は、赤外光については、受光素子２１、２５、２６、２７の出力を増幅した値のうちの一番低い値をＶｏｕｔ（ＩＲ）から出力し、赤色光については、受光素子２１、２５、２６、２７の出力を増幅した値のうちの一番高い値をＶｏｕｔ（Ｒ）から出力する。これにより、受光素子２１、２５、２６、２７のいずれかで赤色光を捉えることで、ポリマー紙幣ＢのクリアウインドウＢ２が検知可能となる。
【０１１４】
このとき、増幅回路は、赤外光については、受光素子２１、２５、２６、２７の出力を低倍率（例えば、倍率Ｘ１）で増幅し、赤色光については、受光素子２１、２５、２６、２７の出力を高倍率（例えば、倍率Ｘ１より高い倍率である倍率Ｘ２）で増幅してもよい。倍率Ｘ２を倍率Ｘ１よりも高倍率にすることで、わずかな赤色光を捉えることができる。
【０１１５】
判断部（図示省略）は、発光素子１１、１５の点灯タイミング（期間Ｉ、ＩＩ）と、受光素子２１、２５、２６、２７からの出力に基づいた値（Ｖｏｕｔ（ＩＲ）、Ｖｏｕｔ（Ｒ））と、に基づいて、ポリマー紙幣Ｂの有無を判断する。具体的には、判断部は、Ｖｏｕｔ（ＩＲ）、Ｖｏｕｔ（Ｒ）が図１３（１）〜（５）におけるどのケースにあてはまるかを判断する。
【０１１６】
図１３（１）、（５）は、発光側ユニット５０と受光側ユニット６０との間をポリマー紙幣Ｂが通過していない場合である。期間ＩにおいてＶｏｕｔ（ＩＲ）が高いことから、判断部は、受光素子２１、２５、２６、２７に赤外光が入光できる状態であり、発光側ユニット５０と受光側ユニット６０との間に遮光物（印刷部Ｂ１）が無いと判断する。一方、期間ＩＩにおいてＶｏｕｔ（Ｒ）が低いことから、判断部は、発光側ユニット５０と受光側ユニット６０との間に透明体（クリアウインドウＢ２）が無いと判断する。
【０１１７】
図１３（２）は、発光側ユニット５０と受光側ユニット６０との間を印刷部Ｂ１が通過した場合である。期間ＩにおいてＶｏｕｔ（ＩＲ）が低いことから、判断部は、印刷部Ｂ１により赤外光が遮られている、すなわち発光側ユニット５０と受光側ユニット６０との間に印刷部Ｂ１があると判断する。一方、期間ＩＩにおいてＶｏｕｔ（Ｒ）は図１３（１）、（５）と同じ状態であることから、判断部は、発光側ユニット５０と受光側ユニット６０との間にクリアウインドウＢ２が無いと判断する。
【０１１８】
図１３（３）は、発光側ユニット５０と受光側ユニット６０との間をクリアウインドウＢ２が通過した場合である。期間ＩにおいてＶｏｕｔ（ＩＲ）の出力電圧が高いことから、判断部は、印刷部Ｂ１により赤外光が遮られない、すなわち発光側ユニット５０と受光側ユニット６０との間に印刷部Ｂ１が無いと判断する。一方、期間ＩＩにおいてＶｏｕｔ（Ｒ）の出力電圧が高い（受光素子２１、２５、２６、２７に赤色光が入光した）ことから、判断部は、クリアウインドウＢ２が発光側ユニット５０と受光側ユニット６０との間を通過したと判断する。
【０１１９】
図１３（４）は、発光側ユニット５０と受光側ユニット６０との間を、印刷部Ｂ１とクリアウインドウＢ２とが混合した状態のもの（例えば、正方形の透明な領域内に網目状の線が印刷されているもの）、もしくは半透明のものが通過した場合である。期間Ｉにおいて、Ｖｏｕｔ（ＩＲ）は、図１３（２）で示す場合より高く、図１３（３）で示す場合より低い。これは、受光素子２１、２５、２６、２７に赤外光が完全に入光しておらず、また赤外光が完全に遮光されていない状態であることを示す。この場合には、判断部は、期間ＩにおけるＶｏｕｔ（ＩＲ）を他の場合と比較することで、発光側ユニット５０と受光側ユニット６０との間にポリマー紙幣Ｂがあると判断する。また、期間ＩＩにおいて、Ｖｏｕｔ（Ｒ）は、図１３（１）、（２）、（３）に示す状態と異なる。判断部は、期間Ｉにおける場合と同様に、期間ＩＩにおけるＶｏｕｔ（Ｒ）を他の場合と比較することで、発光側ユニット５０と受光側ユニット６０との間にポリマー紙幣Ｂがあると判断する。なお、判断部は、期間ＩにおけるＶｏｕｔ（ＩＲ）が所定の閾値（閾値１）以下である場合や、期間ＩＩにおけるＶｏｕｔ（Ｒ）が所定の閾値（閾値２）以上である場合も、発光側ユニット５０と受光側ユニット６０との間にポリマー紙幣Ｂがあると判断できる。判断部は閾値１と閾値２とを保持しており、閾値１と閾値２とで異なる値を設定することができる。
【０１２０】
このように、判断部は、発光素子１１、１５の点灯タイミングと、Ｖｏｕｔ（ＩＲ）と、Ｖｏｕｔ（Ｒ））と、に基づいて、ポリマー紙幣Ｂ（印刷部Ｂ１、クリアウインドウＢ２）の有無を判断することができる。特に、赤色光については、受光素子２１、２５、２６、２７の出力を増幅した値のうちの一番高い値をＶｏｕｔ（Ｒ）から出力することで、クリアウインドウＢ２を高い精度で検知することができる。なお、図１３（１）〜（５）は、ポリマー紙幣Ｂの通過時の出力変化を簡潔に示した一例であり、出力変化は、ポリマー紙幣Ｂの印刷パターン（ポリマー紙幣Ｂにおける印刷部Ｂ１、クリアウインドウＢ２の配置）によって異なる。
【０１２１】
本実施の形態によれば、線ａ１３、ａ１４が線ａ１１に対して角度Φだけ傾いており、線ａ１５、ａ１６が線ａ１２に対して角度Φだけ傾いているため、ポリマー紙幣Ｂの個体差によらず、ポリマー紙幣Ｂを確実に検知することができる。
【０１２２】
また、本実施の形態によれば、発光素子１１が発光した赤外光及び赤色光を複数の受光素子（ここでは、受光素子２１、２６）で受光し、発光素子１５が発光した赤外光及び赤色光を複数の受光素子（ここでは、受光素子２５、２７）で受光するため、ポリマー紙幣Ｂをより確実に検知することができる。また、発光素子１１、１５が発光した赤外光及び赤色光を複数の受光素子で受光するようにしたため、受光素子２１、２５、２６、２７の近傍にレンズ部材を設けなくても、検知の精度を高くすることができる。
【０１２３】
なお、本実施の形態では、角度Φは略３０度であるが、角度Φは、略３０度に限られず、略５度〜略５０度の範囲内であればよい。図１４は、変形例に係る検知装置３Ａの概略を示す側面図であり、要部を透視した図である。検知装置３と検知装置３Ａとの差異は、中心ａ１１と中心ａｘ１との距離、中心ａ１２と中心ａｘ２との距離、中心ａ２１と中心ａｘ３との距離、及び中心ａ２２と中心ａｘ４との距離である。
【０１２４】
中心ａ１１と中心ａｘ１との距離及び中心ａ１２と中心ａｘ２との距離は、距離ｘ２より大きい距離ｘ４であり、中心ａ２１と中心ａｘ３との距離及び中心ａ２２と中心ａｘ４との距離は、距離ｘ３より大きい距離ｘ５である。また、線ａ１３、ａ１４と、線ａ１１とのなす角度Φ１、及び線ａ１５、ａ１６と線ａ１２とのなす角度Φ１は、略３７度である。このように、発光側ユニット５０と受光側ユニット６０との位置関係を変えることなく、検出対象であるポリマー紙幣Ｂの特性に応じて、線ａ１３、ａ１４と、線ａ１１とのなす角度や線ａ１５、ａ１６と線ａ１２とのなす角度を設定することができる。
【０１２５】
また、本実施の形態では、線ｂ１上に２個の受光素子２１、２６を設け、線ｂ２上に２個の受光素子２５、２７を設けたが、受光素子の数及び配置位置はこれに限られない。例えば、発光素子１１、１５のそれぞれについて３個以上の受光素子を設けてもよい。また、３個以上の受光素子は、線ｂ１、ｂ２上に設けられていなくてもよい。発光素子の中心と受光素子の中心とを結ぶ線が、線ａ１１、ａ１２に対して略５度〜略５０度の範囲内で傾いているのであれば、受光素子は様々な位置に配置可能である。
【０１２６】
また、本実施の形態では、発光素子、発光側偏光板、受光側偏光板及び受光素子を２組有したが、発光素子、発光側偏光板、受光側偏光板及び受光素子を１組有すればよい。特に、本実施の形態では、発光素子に対して複数の受光素子を設けているため、１組でもクリアウインドウＢ２は検知可能である。また、本実施の形態では、発光素子１１、１５が赤外光及び可視光を発光し、受光素子２１、２５、２６、２７が赤外光及び可視光を受光したが、赤外光を発光する素子と可視光を発光する素子とを別に設けてもよいし、赤外光を受光する素子と可視光を受光する素子とを別に設けてもよい。また、赤外線を発光する発光素子の中心と赤外線を受光する受光素子の中心とを結ぶ線は、ｚ方向に対して傾いていなくてもよい。
【０１２７】
また、本実施の形態では、ケース５１に２個の凸部５１ａ、５１ｂが形成され、ケース６１に２個の凸部６１ａ、６１ｂが形成されたが、ケース５１、６１に形成される凸部の数及び形状はこれに限られない。例えば、ケース５１、６１に、それぞれ略楕円柱形状の凸部が各１個形成されてもよい。また、例えば、ケース５１、６１は、凸部を有しない略箱状でもよい。また、例えば、ケース５１、６１の外側に更にケースが設けられていてもよい。
【０１２８】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【０１２９】
また、本発明において、「略」とは、厳密に同一である場合のみでなく、同一性を失わない程度の誤差や変形を含む概念である。例えば、「略直交」とは、厳密に直交の場合には限られず、例えば数度程度の誤差を含む概念である。また、例えば、単に直交、平行、一致等と表現する場合において、厳密に直交、平行、一致等の場合のみでなく、略平行、略直交、略一致等の場合を含むものとする。また、本発明において「近傍」とは、基準となる位置の近くのある範囲（任意に定めることができる）の領域を意味する。例えば、受光素子の近傍という場合に、受光素子の近くのある範囲の領域であって、受光素子に隣接していても良いし、受光素子の間に他部材を挟んでいてもよいを示す概念である。
【符号の説明】
【０１３０】
１、２        ：検知装置
１０、１０Ａ  ：発光部
１１、１２、１５：発光素子
１３          ：遮光部材
１３ａ、１３ｂ：スリット
１４          ：発光側基板
２０、２０Ａ  ：受光部
２１、２２、２５、２６、２７：受光素子
２３          ：遮光部材
２３ａ、２３ｂ：スリット
２４          ：受光側基板
３０          ：偏光部
３１、３２    ：発光側偏光板
３３、３４    ：受光側偏光板
４０          ：レンズ部
４１、４１Ａ  ：発光側レンズ部材
４１ａ、４１ｂ、４１ｃ、４１ｄ：凸レンズ
４２          ：受光側レンズ部材
４２ａ、４２ｂ：凸レンズ
５０          ：発光側ユニット
６０          ：受光側ユニット
５１、６１    ：ケース
５１ａ、５１ｂ、６１ａ、６１ｂ：凸部
５１ｃ、６１ｃ：面
５２、６２    ：コネクタ
【図１】
2018051701.tif 000003
【図２】
2018051701.tif 000004
【図３】
2018051701.tif 000005
【図４】
2018051701.tif 000006
【図５】
2018051701.tif 000007
【図６】
2018051701.tif 000008
【図７】
2018051701.tif 000009
【図８】
2018051701.tif 000010
【図９】
2018051701.tif 000011
【図１０】
2018051701.tif 000012
【図１１】
2018051701.tif 000013
【図１２】
2018051701.tif 000014
【図１３】
2018051701.tif 000015
【図１４】
2018051701.tif 000016
【国際調査報告】
2018051701.tif 000017
2018051701.tif 000018
2018051701.tif 000019
2018051701.tif 000020